(57)【要約】【課題】簡易な構造で長さ調節を行なうことができる、廉価なストラップを提供する。【解決手段】長手方向の中央で折り曲げられ、一方の表面同士が互いに対向している帯状のベルト２と、ベルト２の両端同士を連結しているキャップ４と、キャップ４に取り付けられた、携帯機器との細紐５と、ベルト２の互いに対向している部分のそれぞれに挿通され、ベルト２の互いに対向している部分の長手方向に移動可能なストッパー３とを備えている。ストッパー３は、ベルト２が挿通される２つの孔部、および、ベルト２を係止する溝部７を有する。【選択図】図１
2011136104.tif 000002
【特許請求の範囲】
【請求項１】
携帯機器に取付けられるストラップであって、
長手方向の中央で折り曲げられ、一方の表面同士が互いに対向している帯状のベルトと、
前記ベルトの両端同士を連結している連結部と、
前記連結部に取り付けられた、携帯機器との接続部と、
前記ベルトの互いに対向している部分のそれぞれに挿通され、前記ベルトの互いに対向している部分の長手方向に移動可能なストッパーと
を備え、
前記ストッパーは、前記ベルトが挿通される２つの孔部、および、前記ベルトを係止する溝部を有する、ストラップ。
【請求項２】
前記溝部は、前記孔部の延在方向と同じ方向に延び、２つの前記孔部と並ぶように配置され、
前記ベルトは、前記孔部と前記溝部との間の前記ストッパーの外壁に沿って折り返された状態で前記溝部に係止される、請求項１に記載のストラップ。
【請求項３】
前記溝部は、前記ベルトの幅の半分以上の深さを有する、請求項１または２に記載のストラップ。
【請求項４】
前記ストッパーは、前記孔部から見て、前記溝部が設けられた側とは反対側に接続用孔を有し、
前記接続用孔は、前記接続部が接続される携帯機器の位置とは異なる位置において携帯機器と前記ストッパーとを接続する接続部品に接続される、請求項１から３のいずれかに記載のストラップ。
【発明の詳細な説明】
【技術分野】
【０００１】
本発明は、ストラップに関し、特に、携帯機器に取付けられるストラップに関する。
【背景技術】
【０００２】
携帯カメラなどの携帯機器に取付けられるストラップにおいて、その長さを調節することができるものがある。バックル部材を用いて長さ調節可能なストラップを開示した先行文献として、特許文献１がある。特許文献１に記載されたストラップにおいては、長さ方向に貫通して設けられ、かつ、ベルトに対する固定状態を与えるための固定手段を有する第１挿通部と、第１挿通部に平行な挿通方向で設けられた第２挿通部と、第２挿通部の先に設けられた折返しバー付の折返し部とを備えた構造を有するバックル部材を備えている。
【先行技術文献】
【特許文献】
【０００３】
【特許文献１】特開平８−１００３１号公報
【発明の概要】
【発明が解決しようとする課題】
【０００４】
バックル部材を用いたストラップにおいては、バックル部材の構成が複雑であるため、製造コストが増加するとともに、長さ調節を行なう方法も複雑となり使用しにくい。
【０００５】
本発明は上記の問題点に鑑みなされたものであって、簡易な構造で長さ調節を行なうことができる、廉価なストラップを提供することを目的とする。
【課題を解決するための手段】
【０００６】
本発明に基づくストラップは、携帯機器に取付けられるストラップである。ストラップは、ベルトと連結部と接続部とストッパーとを備えている。ベルトは、帯状の形状を有し、長手方向の中央で折り曲げられ、一方の表面同士が互いに対向している。連結部は、ベルトの両端同士を連結している。接続部は、携帯機器との接続部であり、連結部に取り付けられている。ストッパーは、ベルトの互いに対向している部分のそれぞれに挿通され、ベルトの互いに対向している部分の長手方向に移動可能である。ストッパーは、ベルトが挿通される２つの孔部、および、ベルトを係止する溝部を有している。
【０００７】
上記の構成によれば、ストッパーの溝部にベルトを係止することができるため、ベルトの余剰長さ部分をコンパクトにまとめることができる。また、ベルトを溝部に着脱することは容易であるため、ストラップを容易に使用することができる。さらに、ストッパーに溝部を形成することは容易であるため、ストラップの製造コストの増加を抑制することができる。
【０００８】
好ましくは、溝部は、孔部の延在方向と同じ方向に延び、２つの孔部と並ぶように配置される。ベルトは、孔部と溝部との間のストッパーの外壁に沿って折り返された状態で溝部に係止される。この構成によれば、ストッパーの溝部にベルトを折り返した状態で係止することにより、ストッパーがベルトの折り返しにより固定化されるため、ストラップがストッパーにより調節した長さから長くなることを防止することができる。
【０００９】
好ましくは、溝部は、ベルトの幅の半分以上の深さを有する。この構成によれば、溝部のベルトの係止が確実になるため、ストラップの長さ調節の信頼性を増すことができる。
【００１０】
好ましくは、ストッパーは、孔部から見て、溝部が設けられた側とは反対側に接続用孔を有している。接続用孔は、接続部が接続される携帯機器の位置とは異なる位置において携帯機器とストッパーとを接続する接続部品に接続される。この構成によれば、携帯機器の一端と接続部とを接続するとともに、接続用孔を用いて携帯機器の他端とを接続することにより、携帯機器を手で直接持つ場合のバックアップ的支持としてストラップを使用することができる。このように使用した場合、溝部が撮影者の手前側に来るため、ベルトを溝部に容易に係止することができる。
【発明の効果】
【００１１】
本発明によれば、ストッパーの溝部にベルトを係止することができるため、ベルトの余剰長さ部分をコンパクトにまとめることができる。また、ベルトを溝部に着脱することは容易であるため、ストラップを容易に使用することができる。さらに、ストッパーに溝部を形成することは容易であるため、ストラップの製造コストの増加を抑制することができる。
【図面の簡単な説明】
【００１２】
【図１】本発明の一実施形態に係るストラップの構成を模式的に示す斜視図である。
【図２】(Ａ)は、同実施形態に係るストラップのストッパーの構造を示す正面図であり、(Ｂ)は、上面図である。
【図３】同実施形態に係るストラップの使用状態の一例を模式的に示す斜視図である。
【図４】同実施形態に係るストッパーをベルトの所定の位置に固定した状態を模式的に示す断面図である。
【図５】(Ａ)は、同実施形態に係るストラップのストッパーの変形例の構造を模式的に示す正面図であり、(Ｂ)は、上面図である。
【発明を実施するための形態】
【００１３】
以下、本発明に基づいた一実施形態におけるストラップについて図を参照して説明する。
【００１４】
図１は、本発明の一実施形態に係るストラップの構成を模式的に示す斜視図である。図１に示すように、本実施形態に係るストラップ１は、携帯電話および携帯カメラなどの携帯機器に取付けられるストラップである。ストラップ１は、ベルト２とキャップ４と細紐５とストッパー３とを備えている。
【００１５】
ベルト２は、帯状の形状を有し、長手方向の中央で折り曲げられ、一方の表面同士が互いに対向している。本実施形態においては、ベルト２をポリエステル製の織布で形成したが、摩擦に強い材料であれば特に限定されない。ベルト２の両端同士は、連結部である樹脂製のキャップ４によって連結されている。キャップ４によりベルト２は、無端に連結されている。キャップ４の頂点に、携帯機器との接続部である細紐５がループ状に取付けられている。
【００１６】
ベルト２の互いに対向している部分のそれぞれに、ストッパー３が挿通されている。ストッパー３は、ベルト２の互いに対向している部分の長手方向に移動可能とされている。ストッパー３には、溝部７が設けられており、ベルト２の余剰長さ部分６の一部を係止することができる。余剰長さ部分６とは、ストラップ１の使用状態において、キャップ４からストッパー３までのベルト２の部分を使用している際の、ベルト２の未使用部分のことをいう。
【００１７】
図２(Ａ)は、本実施形態に係るストラップのストッパーの構造を示す正面図であり、(Ｂ)は、上面図である。図２(Ａ)，(Ｂ)に示すように、ストッパー３は、全体的に球状の形状を有している。
【００１８】
ストッパー３には、中央にベルト２が挿通される２つの孔部８が形成されている。一方の孔部８に、ベルト２の対向している部分の一方が挿通され、他方の孔部８に、ベルト２の対向している部分の他方が挿通される。ベルト２は帯状の形状を有しているため、正面から見て、孔部８は矩形形状を有している。孔部８は、幅がベルト２の厚さに対して僅かに広くなるように形成されている。その結果、ストッパー３は、孔部８に挿通されたベルト２に従って、スムーズに移動することができる。ストッパー３の孔部８には、キャップ４によりベルト２の両端が連結される前にベルト２が挿通される。
【００１９】
ストッパー３には、孔部８の延在方向と同じ方向に延びる溝部７が、孔部８と並ぶように形成されている。溝部７の幅は、ベルト２の厚みと略同等に形成されている。そのため、溝部７にベルト２を挿入することにより、溝部７内部の対向する内壁とベルト２が嵌合する。この結果、溝部７により、ベルト２を係止することができる。溝部７の角部は、面取りされている。そのため、溝部７に容易にベルト２を挿入することができる。
【００２０】
また、溝部７は、ベルト２の幅の半分以上の深さを有するように形成されている。本実施形態においては、ベルト２の幅の３／４程度の深さを有するように溝部７を形成したが、溝部７の深さはこれに限られない。ストッパー３には、孔部８から見て、溝部７が設けられた側とは反対側に、携帯機器との接続用孔９が設けられている。
【００２１】
ストッパー３の材質として、たとえば、ポリアセタールを用いることができる。ストッパー３は、ポリアセタールを成型することにより作製される。ストッパー３の材質としては、摩擦に強い材料であればよく、材質は特に限定されない。
【００２２】
携帯カメラなどに取付けられたストラップは、携帯カメラの一端から吊り下げられて使用される場合がある。ストラップが長すぎる場合、ストラップが携帯カメラのレンズの前に移動して、撮影中の画像に映りこむことがある。
【００２３】
本実施形態に係るストラップ１においては、ストッパー３の溝部７にベルト２を係止することができるため、ベルト２の余剰長さ部分６をコンパクトにまとめることができる。その結果、ストラップ１が携帯カメラのレンズの前に移動することを防止することができるため、撮影中の画像にストラップ１が映りこむことを防ぐことができる。
【００２４】
ベルト２を溝部７に着脱するのみでストラップ１の長さ調節を行なえるため、ストラップ１を容易に使用することができる。また、ストッパー３に溝部７を形成するためには、成型金型の形状を一部変更するだけでよいため、ストラップ１の製造コストの増加を抑制することができる。
【００２５】
図３は、本実施形態に係るストラップの使用状態の一例を模式的に示す斜視図である。図３に示すように、本実施形態に係るストラップは、携帯カメラ１１を手１２で直接持つ場合のバックアップ的支持として使用することができる。
【００２６】
図３に示すように接続する場合、まず、携帯カメラ１１の一端と細紐５とを接続する。たとえば、携帯カメラ１１の一端に設けられたリング状のフックなどに細紐５を結び付ける。次に、ストッパー３の接続用孔９に、携帯カメラ１１との接続部品を取り付ける。接続部品としては、たとえば、携帯カメラ１１の三脚用雌ねじに取付け可能な雄ねじ部１４と、この雄ねじ部１４に設けられた紐体１３とを備えたものを使用する。
【００２７】
紐体１３を接続用孔９に結び付けた後、雄ねじ部１４を携帯カメラ１１の三脚用雌ねじに取り付けることにより、図３に示すように、ストラップと携帯カメラ１１との間に手１２を挿入して携帯カメラ１１を支持することができるようになる。このように、接続用孔９は、細紐５が接続される携帯カメラ１１の位置とは異なる位置において携帯カメラ１１とストッパー３とを接続する雄ねじ部１４および紐体１３に接続される。このように使用した場合、溝部７が撮影者の手前側に来るため、ベルト２を溝部７に容易に係止することができる。
【００２８】
なお、図３においては、細紐５を携帯カメラ１１のレンズ側、雄ねじ部１４を携帯カメラ１１のレンズとは反対側に接続しているが、接続形態はこの逆でもよい。つまり、細紐５を携帯カメラ１１のレンズとは反対側、雄ねじ部を携帯カメラ１１のレンズ側に接続してもよい。この場合、携帯カメラ１１の三脚用雌ねじがレンズ側に設けられている。また、ストッパー３の溝部７の開口方向が逆方向になる。この結果、接続方向を逆にした場合にも、溝部７が撮影者の手前側に来るようにすることができる。
【００２９】
図３においては、ベルト２を溝部７に挿入した状態を示している。この状態においては、ベルト２の折り返し部２２とストッパー３との間に隙間が生じているため、ストッパー３の位置の固定が不十分である。
【００３０】
図４は、本実施形態に係るストッパーをベルトの所定の位置に固定した状態を模式的に示す断面図である。図４に示すように、ストッパー３をベルト２の所定の位置に固定するためには、ベルト２の折り返し部２２とストッパー３との間に隙間がほとんど生じないように折り返すことが必要である。
【００３１】
このようにした場合、ストッパー３の孔部８と溝部７との間に位置する外壁部２３は、ベルト２の折り返し部２２を引っ掛けるフックの機能を有する。そのため、孔部８の延在方向である図中の矢印２１で示す方向にベルト２を引っ張る力が作用した際、ベルト２の折り返し部２２と外壁部２３との間に、図中の矢印２４に示す方向の反力が発生するため、ベルト２が矢印２１方向に引っ張られてストラップが長くなることを防止することができる。
【００３２】
本実施形態においては、ベルト２の互いに対向している部分の一方のみを溝部７に係止しているが、両方を係止してもよい。ただし、矢印２１方向の作用力は基本的に、互いに対向するベルト２同士に合一に作用するため、ベルト２の互いに対向している部分の少なくとも一方を係止することにより、ストッパー３をベルト２の所定の位置に固定することができる。
【００３３】
ストッパー３をベルト２の所定の位置に固定するためには、一旦、図３に示すようにベルト２を溝部７に挿入した状態にした後、図４に示すように、折り返し部２２と外壁部２３との隙間がなくなるように、余剰長さ部分６を溝部７の延在方向に引っ張ればよい。一方、ストッパー３の固定を解除するためには、ベルト２を溝部７から外すだけでよいため、ストラップの長さの調節を容易に行なうことができる。
【００３４】
溝部７は、ベルト２の幅の半分以上の深さを有しているため、溝部７のベルト２の係止が確実になり、ストラップの長さ調節の信頼性を増すことができる。
【００３５】
図５(Ａ)は、本実施形態に係るストラップのストッパーの変形例の構造を模式的に示す正面図であり、(Ｂ)は、上面図である。図５(Ａ)，(Ｂ)に示すように、変形例のストッパー１７は、全体的に直方体状の形状を有している。
【００３６】
ストッパー１７には、中央にベルト２が挿通される２つの孔部１８が形成されている。一方の孔部１８に、ベルト２の対向している部分の一方が挿通され、他方の孔部１８に、ベルト２の対向している部分の他方が挿通される。ベルト２は帯状の形状を有しているため、正面から見て、孔部１８は矩形形状を有している。孔部１８は、幅がベルト２の厚さに対して僅かに広くなるように形成されている。その結果、ストッパー１７は、孔部１８に挿通されたベルト２に従って、スムーズに移動することができる。ストッパー１７の孔部１８には、キャップ４によりベルト２の両端が連結される前にベルト２が挿通される。
【００３７】
ストッパー１７には、孔部１８の延在方向と同じ方向に延びる溝部２０が、孔部１８と並ぶように形成されている。また、溝部２０は、ベルト２の幅の半分以上の深さを有するように形成されている。本実施形態においては、ベルト２の幅と同程度の深さを有するように溝部２０を形成したが、溝部２０の深さはこれに限られない。ストッパー１７には、孔部１８から見て、溝部２０が設けられた側とは反対側に、携帯機器との接続用孔１９が設けられている。
【００３８】
上記のストッパー１７においても、ポリアセタールなどの樹脂を成型することにより作製することができ、ストッパー３と同様の効果を得ることができる。
【００３９】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４０】
１  ストラップ、２  ベルト、３，１７  ストッパー、４  キャップ、５  細紐、６  余剰長さ部分、７  溝部、８  孔部、９  接続用孔、１１  携帯カメラ、１２  手、１３  紐体、１４  雄ねじ部、１７  ストッパー、１８  孔部、１９  接続用孔、２０  溝部、２２  折り返し部、２３  外壁部。
【図１】
2011136104.tif 000003
【図２】
2011136104.tif 000004
【図３】
2011136104.tif 000005
【図４】
2011136104.tif 000006
【図５】
2011136104.tif 000007